(57)【要約】【課題】電池端子面における酸化皮膜や汚れが十分に除去された位置に、電池接片の接触部を接触させる。【解決手段】電子機器は、電池２１１を挿入可能な電池室２２１と、電池の第１の端子面２１３に対して接触可能な接触部２３２を有する第１の電池接片２３１と、電池室への電池の挿入に応じて、第１の電池接片を接触部が第１の端子面を擦るように回転させる回転駆動機構２２２，２４２とを有する。第１の電池接片には、該第１の電池接片の回転中心から互いに等距離に位置する複数の接触部２３２が、回転駆動機構による該第１の電池接片の回転角度βよりも小さい角度間隔αで設けられている。【選択図】図１
2010225305.tif 000002
【特許請求の範囲】
【請求項１】
電池を挿入可能な電池室と、
前記電池の第１の端子面に対して接触可能な接触部を有する第１の電池接片と、
前記電池室への前記電池の挿入に応じて、前記接触部が前記端子面を擦るように前記第１の電池接片を回転させる回転駆動機構とを有し、
前記第１の電池接片には、該第１の電池接片の回転中心から互いに等距離に位置する複数の前記接触部が、前記回転駆動機構による該第１の電池接片の回転角度よりも小さい角度間隔で設けられていることを特徴とする電子機器。
【請求項２】
前記電池は、前記電池室の電池挿入口を開閉する蓋部材の閉動作によって前記電池室に挿入され、
前記蓋部材は、前記電池の第２の端子面に対して接触可能な第２の電池接片を有しており、
前記接触部が前記第１の端子面を擦るように前記第１の電池接片が回転する際に、前記第２の端子面と前記第２の電池接片との間の摩擦により前記電池の回転が阻止されることを特徴とする請求項１に記載の電子機器。
【発明の詳細な説明】
【技術分野】
【０００１】
本発明は、電池が挿入される電池室が設けられた電子機器に関する。
【背景技術】
【０００２】
電池の端子面（以下、電池端子面という）に酸化皮膜が形成されたり油等の汚れが付着したりすると、これらが導通不良の原因となる。このため、電池を使用する電子機器には、電池室に電池を挿入して電池蓋を閉じるという一連の操作の中で、電池室に設けられた電池接片における電池端子面に接触する部分（以下、接触部という）が電池端子面を擦るように動作する機構が設けられる。
特許文献１にて開示された電子機器では、電池接片の接触部が曲率を持つ形状に形成され、該接触部の電池端子面に対する摩擦抵抗を小さくしている。これにより、電池室に挿入される電池が押される力を利用して、接触部が電池端子面に対して擦れ易い構造を実現している。
【先行技術文献】
【特許文献】
【０００３】
【特許文献１】特開２００５−１０８６６７号公報
【発明の概要】
【発明が解決しようとする課題】
【０００４】
しかしながら、特許文献１にて開示された電子機器では、電池接片の接触部は電池端子面に対して直線移動しかできない。このため、電池の電池室への挿入が完了した状態での電池端子面と電池接片の接触部との接触位置は、接触部が電池端子面に対して擦れ終わった位置となる。この擦れ終了位置では、酸化皮膜や汚れが十分に除去されない場合が多く、導通不良を確実に回避できないおそれがある。
【０００５】
本発明は、電池端子面における酸化皮膜や汚れが十分に除去された位置に、電池接片の接触部を接触させることができるようにした電子機器を提供する。
【課題を解決するための手段】
【０００６】
本発明の一側面としての電子機器は、電池を挿入可能な電池室と、電池の第１の端子面に対して接触可能な接触部を有する第１の電池接片と、電池室への電池の挿入に応じて、接触部が第１の端子面を擦るように第１の電池接片を回転させる回転駆動機構とを有する。そして、第１の電池接片には、該第１の電池接片の回転中心から互いに等距離に位置する複数の接触部が、回転駆動機構による該第１の電池接片の回転角度よりも小さい角度間隔で設けられていることを特徴とする。
【発明の効果】
【０００７】
本発明によれば、電池の第１の端子面のうち第１の電池接片の回転方向前側に設けられた接触部が擦った位置に、回転方向後側に設けられた接触部が接触する。このため、第１の端子面のうち酸化皮膜や汚れが十分に除去された位置に接触部を接触させることができ、導通不良をより確実に回避することができる。
【図面の簡単な説明】
【０００８】
【図１】本発明の実施例であるカメラにおける電池室の概略構造を示す斜視図。
【図２】実施例のカメラの正面斜視図。
【図３】実施例のカメラの背面斜視図。
【図４】実施例のカメラにおける電池蓋を開けた状態を示す斜視図。
【図５】実施例のカメラの電池蓋側において、電池接片が電池端子面を擦る様子を示す図。
【図６】実施例のカメラの電池室の内部に設けられた電池接片ユニットの構成を示す拡大図。
【図７】上記電池接片ユニットに設けられた電池接片における接触部の角度ピッチを示す図。
【図８】上記電池接片ユニットの電池接片の回転角度を示す図。
【図９】実施例において、電池が電池室に挿入される途中の状態を示す図。
【図１０】実施例において、電池の電池室への挿入が完了した状態を示す図。
【図１１】実施例の電池室の分解斜視図。
【図１２】上記電池接片ユニットの分解斜視図。
【図１３】上記電池接片ユニットに設けられた電池接片の接触部の拡大図。
【発明を実施するための形態】
【０００９】
以下、本発明の実施例について図面を参照しながら説明する。
図２には、本発明の実施例である電子機器としてのデジタルカメラ（以下、カメラという）の外観を示している。同図において、１０１はカメラ本体であり、主にフロントカバー１１１とリアカバー１２１で覆われている。カメラ本体１０１の内部には、撮影レンズにより形成された光学像を光電変換する撮像素子（ＣＣＤセンサ、ＣＭＯＳセンサ等）や、撮像素子からの信号を用いて画像データを生成する画像処理回路や、カメラ全体の動作を制御する制御回路等が収容されている。
【００１０】
１０２は撮影レンズを収容するレンズ鏡筒であり、カメラ本体１０１に対して光軸方向に繰り出したり繰り込んだりすることで焦点距離を変更する。１０３はレリーズボタンであり、これが半押し操作されることによって撮影準備動作（焦点調節動作や測光動作）が行われ、全押し操作されることによって撮影動作（画像データの生成及び記録媒体への記録動作）が行われる。
【００１１】
１０４はファインダ光学系の対物窓である。ユーザーはファインダ光学系を通して被写体像を観察することができる。１０５は測光ユニットが被写体からの光を取り込むための測光窓であり、１０６は被写体に照明光を照射するフラッシュユニットの発光窓である。
【００１２】
２０１は電池蓋（蓋部材）であり、カメラ本体１０１の底面部の外装の一部を構成している。電池蓋２０１は、カメラ本体１０１の内部に設けられた電池室の電池挿入口を開閉するようカメラ本体１０１に対して回動可能に取り付けられている。
【００１３】
図３には、本実施例のカメラの背面を示している。同図において、１１０はファインダ光学系の接眼窓である。１０７は被写体の撮影が可能な撮影記録モードと記録媒体に記録された画像を再生表示可能な再生モードとの間で動作モードを切り替えるためのモード切替スイッチである。
【００１４】
１０８はモードダイアルであり、様々な撮影モード（オート撮影モード、絞り優先ＡＥモード、シャッタ速度優先ＡＥモード等）の切り替えを行うことができる。１０９は液晶表示ユニットであり、撮影記録モードでは電子ビューファインダとして機能し、再生モードでは記録済み画像のビューワとして機能する。
【００１５】
図４には、電池蓋２０１を開いた状態のカメラを示している。電池蓋２０１の内側には、２本の電池２１１をその長手方向に挿入可能な電池室２２１が形成されている。
【００１６】
電池蓋２０１には、電池接片（第２の電池接片）２０２がねじにより固定されている。電池蓋２０１は、図５に示すように、カメラ本体１０１に対してスライドする。このスライドによって、電池蓋２０１に取り付けられた電池接片２０２の接触部が、電池２１１のうち電池室２２１の電池挿入口側（電池蓋２０１側）にて露出した端子面（第２の端子面）２１２に対して擦れ、端子面２１２の表面の酸化被膜や汚れを除去する。
一方、図１に示すように、電池室２２１の奥側（電池挿入口側とは反対側）には、円盤形状の電池接片（第１の電池接片）２３１が設けられている。この電池接片２３１は、電池蓋２０１が閉じられる際に該電池蓋２０１によって電池２１１が押されて移動する力を利用して後述する回転駆動機構により回転される。
電池接片２３１が回転駆動機構によって回転すると、該電池接片２３１に設けられた複数の接触部２３２が、電池２１１のうち奥側の端子面（第１の端子面：以下、電池端子面という）２１３に対して擦れ、電池端子面２１３の表面の酸化被膜や汚れを除去する。以下、電池端子面２１３の酸化被膜や汚れを除去することを、リフレッシュという。
２２２は電池室２２１の内周壁に２つ形成されたカム溝部であり、電池２１１の電池室２２１への挿入に応じて、該電池２１１が押されて移動する力を電池接片２３１の回転力に変換する回転駆動機構の一部を構成する。
図６には、電池接片２３１及びその周辺の構成を拡大して示している。２４１は電池接片２３１が固定されたガイド部材（ベース部材）２４１である。２５１はコイルバネであり、電池接片２３１を電池挿入口側に向かって付勢する。電池接片２３１自体はバネ性を有しておらず、電池端子面２１３に対して電池接片２３１を押圧する力はコイルバネ２５１の付勢力により発生される。
複数の接触部２３２は、電池接片２３１の中央部分に円環状に配列されている。言い換えれば、複数の接触部２３２は、電池接片２３１の回転中心から互いに等距離に位置するように設けられている。
図６中に拡大して示すように、電池端子面２１３に接触可能な複数の接触部２３２は、電池接片２３１の回転方向に規則的に形成された鋸歯形状における複数の凸部である。各接触部２３２の頂点は、電池接片２３１の中心から見て尖ったエッジを有する。また、各接触部２３２の頂点を電池接片２３１の回転方向から見ると、図１３に示すように、金属破断面に特有の不規則な尖鋭形状部が複数存在する。このような頂点を持つ接触部２３２が電池端子面２１３を擦ることで、電池端子面２１３のリフレッシュを良好に行うことができる。
しかも、該接触部２３２が複数、電池電子面２１３に接触することで、電池端子面２１３と電池接片２３１との良好な導通も確保される。
なお、電池接片２３１における複数の接触部２３２が設けられた中央部分は、周辺部分に対して電池挿入口側に突出している。
次に、図１２を用いて、電池接片２３１及び回転駆動機構の構成をより詳しく説明する。電池接片２３１の周辺部分には、ガイド部材２４１側に折り曲げられた曲げ部２３４が中央部分を挟んだ両側に形成されている。これら曲げ部２３４の間に、コイルバネ２５１の先端に形成されたフランジ部２５２を挟み込むことで、電池接片２３１とコイルバネ２５１とが連結される。
ガイド部材２４１における電池接片２３１の固定面における３箇所には、ボス２４３が形成されている。これら３つのボス２４３を電池接片２３１の周辺部分に形成された３つの穴部２３３に挿入し、各穴部２３３を貫通した各ボス２４３の先端を熱で溶かすことで、ガイド部材２４１に電池接片２３１を固定する。このようにして、電池接片２３１、ガイド部材２４１及びコイルバネ２５１のユニット（以下、電池接片ユニットという）が組み立てられる。
また、ガイド部材２４１の外周部には、電池室２２１の内周壁に形成された２つのカム溝部２２２に係合する２つのカムピン２４２が形成されている。これらカム溝部２２２とカムピン２４２とにより、回転駆動機構が構成される。
コイルバネ２５１のベース部にはフランジ部２５３が形成されている。フランジ部２５３は、図１１に示すように、電池接片ユニットが電池室２２１の本体（以下、電池室本体という）２２１ｂに取り付けられる際に、矢印Ａ方向から電池室本体２２１ｂの底面に設けられたバネ保持部２２１ａに係合される。これにより、フランジ部２５３（つまりは電池接片ユニット）が電池室本体２２１ｂにより保持される。コイルバネ２５１を介して電池室本体２２１ｂと接続された電池接片２３１は、コイルバネ２５１の捩れによって電池室本体２２１ｂに対する回転が許容される。
こうして電池接片ユニットが取り付けられた電池室本体２２１ｂは、フロントカバー１１１に対して矢印Ｂ方向から組み付けられ、内部に電池接片ユニットが備えられた電池室２２１が形成される。
次に、電池室２２１に電池２１１を挿入する際の回転駆動機構（電池接片ユニット）の動作について説明する。
図９に示すように、前述した各カム溝部２２２は、電池室２２１の内周壁に、反時計回り方向に延びるように形成されている。電池２１１が電池室２２１に挿入されると、挿入途中で電池端子面２１３が電池接片２３１の複数の接触部２３２に当接する。
この状態から電池蓋２０１がユーザーにより閉操作され（電池蓋２０１が閉動作し）、電池蓋２０１によって電池２１１がさらに電池室２２１の奥（矢印Ｐ方向）に向かって押し込まれると、図１０に示すようにカムピン２４２がカム溝部２２２に沿って移動する。これにより、ガイド部材２４１が電池接片２３１とともに反時計回り方向（矢印Ｒ方向）に回転する。電池接片２３１が回転すると、複数の接触部２３２が電池端子面２１３を擦り、電池端子面２１３をリフレッシュする。
なお、図１０には、電池蓋２０１が図５に示すようにカメラ本体１０１に対してスライド可能な位置まで閉じられたときの電池室２２１の内部の状態を示している。
ここで、図８に示すように、電池室２２１に挿入された電池端子面２１３が最初に複数の接触部２３２に当接した状態（図９に示す状態）から、電池室２２１への電池２１１の挿入が完了した状態（図１０に示す状態）までの電池接片２３１の回転角度をβとする。
一方、図７に示すように、接触部２３２は、角度間隔（角度ピッチ）αで複数形成されており、該角度間隔αは、電池接片２３１の回転角度βよりも小さい。
また、図９に示す状態から図１０に示す状態に至る間、電池２１１は、電池蓋２０１に設けられた電池接片２０２と電池蓋側の電池端子２１２との摩擦によって回転が阻止される。このため、電池室２２１の奥側で電池接片２３１が回転して複数の接触部２３２が電池端子面２１３を擦っても、電池２１１は回転せず、各接触部２３２がその回転角度βだけ電池端子面２１３を擦ることができる。
したがって、電池２１１の電池室２２１への挿入が完了した状態での電池端子面２１３における各接触部２３２が接触する位置は、その接触部２３２よりも電池接片２３１の回転方向前側に位置する他の接触部２３２がリフレッシュした後の状態にある。したがって、各接触部２３２は、酸化被膜や汚れが十分に除去された電池端子面２１３に接触することになり、電池接片２３１と電池端子面２１３との良好な導通が確保される。
以上説明した各実施例は代表的な例にすぎず、本発明の実施に際しては、各実施例に対して種々の変形や変更が可能である。
上記実施例では、電池蓋２０１の閉動作によって、電池室２２１の奥側において電池端子面２１３がリフレッシュされる場合について説明したが、必ずしも電池蓋２０１の閉動作による必要はない。
例えば、ユーザーが指で電池２１１を直接、電池室２２１内に押し込む操作を行うとによって、電池接片２３１が回転し、複数の接触部２３２が電池端子面２１３をリフレッシュするようにしてもよい。この場合、指を離すとコイルバネ２５１の付勢力によって電池室２２１から突出してくる電池２１１に対する押し込み操作を複数回繰り返すことで、容易にリフレッシュ効果を高めることが可能である。
また、上記実施例では、複数の接触部が等角度ピッチで設けられている場合について説明しが、必ずしも等角度ピッチで形成される必要はなく、電池接片の回転角度よりも小さい範囲で接触部間の角度間隔を異ならせてもよい。
また、上記実施例で説明した回転駆動機構の構成は例に過ぎず、他の構成を有する回転駆動機構を用いてもよい。
さらに、上記実施例では、デジタルカメラについて説明したが、本発明は、デジタルカメラ以外の電子機器であって、電池を使用するものにも適用することができる。
【産業上の利用可能性】
【００１７】
電池と電池接片の導通不良をより確実に回避できる電子機器を提供できる。
【符号の説明】
【００１８】
２０１  電池蓋
２０２  電池接片
２１１  電池
２１３  端子面
２２１  電池室
２２２  カム溝部
２３１  電池接片
２３２  接触部
２４１  ガイド部材
２４２  カムピン
２５１  コイルバネ
【図１】
2010225305.tif 000003
【図２】
2010225305.tif 000004
【図３】
2010225305.tif 000005
【図４】
2010225305.tif 000006
【図５】
2010225305.tif 000007
【図６】
2010225305.tif 000008
【図７】
2010225305.tif 000009
【図８】
2010225305.tif 000010
【図９】
2010225305.tif 000011
【図１０】
2010225305.tif 000012
【図１１】
2010225305.tif 000013
【図１２】
2010225305.tif 000014
【図１３】
2010225305.tif 000015